(57)【特許請求の範囲】
【請求項１】
被検者眼の前眼部と共役な位置に遮光物が設けられた眼底カメラにおいて、
前記遮光物は光軸に対して傾斜調整可能に設けられていることを特徴とする眼底カメラ。
【発明の詳細な説明】
【０００１】
【産業上の利用分野】
この発明は、被検者眼の前眼部と共役な位置に有害光を除去するための遮光物が設けられた眼底カメラに関するものである。
【０００２】
【従来の技術】
この種の眼底カメラとしては、被検眼の角膜と共役な第１小径遮光体（遮光物）、被検眼の瞳孔と共役なリングスリット（遮光物）、水晶体の後面と共役な第２小径遮光体（遮光物）等を照明光学系の光路途中に配設したり、撮影画角や被検者眼の瞳孔径に応じて遮光物の開口の大きさを変化させることにより、有害光を除去する様にしたものがあった。
【０００３】
【発明が解決しようとする課題】
しかしながら、上述の眼底カメラでは、遮光物が光軸に対して直交した状態で光路中に配設された構成であるため、眼底の周辺部を撮影する目的で光軸を被検眼の光軸に対して傾斜させた場合、撮影結果に有害な前眼部からの反射光を有効に除去することができないものであった。
【０００４】
そこで、この発明は、眼底の周辺部を撮影する目的で光軸を被検眼の光軸に対して傾斜させた場合でも、撮影結果に有害な前眼部からの反射光を有効に除去することができる眼底カメラを提供することを目的とするものである。
【０００５】
【課題を解決するための手段】
この目的を達成するために、この発明は、被検者眼の前眼部と共役な位置に遮光物が設けられた眼底カメラにおいて、前記遮光物は光軸に対して傾斜調整可能に設けられている眼底カメラとしたことを特徴とする。
【０００６】
【発明の実施の形態】
以下、この発明の実施の形態を図面に基づいて説明する。
【０００７】
[構成]
＜装置外観構造＞
図６において、１は固定ベース、２，２は固定ベース１の前端部の両側部に植立固定した支柱、３は支柱２，２の中間部間に保持された顎受、４は支柱２，２の上端部間に保持された額受である。また、固定ベース１上には可動ベース５が前後左右に移動可能に装着され、可動ベース５にはジョイスティック６が任意の方向に傾動自在に装着されている。このジョイスティック６の前後左右への傾動操作により可動ベース５は前後左右に移動操作できる。
【０００８】
可動ベース５の前部上には前方に延びるアーム７の後端部が固定され、アーム７の前端部には可動アーム８の前端部が支軸９を介して水平回動可能に装着されている。この可動アーム８の中間部には後方に湾曲して傾斜し且つ上下に延びる円弧状のガイドバー１０が固定され、このガイドバー１０にはスライド部材１１が上下回動可能に保持されている。このスライド部材１１は眼底カメラ本体１２に一体に設けられていて、眼底カメラ本体１２は上下に円弧状に回動可能となっている。また、眼底カメラ本体１２の後部と可動アーム８の後端部との間には、重量バランスを取るためのスプリング内臓のシリンダ１３が介装されている。１２ａは眼底カメラ本体１２の前端部から突出しているレンズ鏡筒、１２ｂは眼底カメラ本体１２の後端部に取り付けられた３５mmカメラ（撮影装置）である。
【０００９】
＜光学系＞
この眼底カメラ本体１２内には、眼底観察撮影用の光学系が内蔵されている。この光学系は、照明光学系２１，撮影光学系２２，ファインダ光学系２３を有する。
【００１０】
照明光学系２１は、凹面反射鏡２４，ハロゲンランプ２５，リレーレンズ２６，撮影光源としてのキセノンランプ２７，コンデンサレンズ２８，遮光装置２９，リレーレンズ３０，反射鏡３１，リレーレンズ３２，黒点板３３，リレーレンズ３４，孔空きミラー３５，対物レンズ３６等の光学部品を有する。この眼底照明光学系２１のキセノンランプ２７とコンデンサレンズ２８との間には、可視蛍光用のエキサイタフィルタＥ１及び赤外蛍光用のエキサイタフィルタＥ２が挿脱可能に設けられている。尚、対物レンズ３６は図６に示した鏡筒１２ａに内蔵されている。図中、Ｏは対物レンズ３６の光軸である。
【００１１】
遮光装置２９は、図２〜図４に示したように、内面に３つの帯状溝３７ａ，３７ｂ，３７ｃが隣接して形成されている筒状体３７と、この各帯状溝３７ａ，３７ｂ，３７ｃに対応して筒状体３７内に配設された３つの遮光体３８，３９，４０を有する。この遮光体３８，３９，４０は、図２〜図５に示したように、環状体３８ａ，３９ａ，４０ａと、環状体３８ａ，３９ａ，４０ａ内に固定された遮光板（遮光物）３８ｂ，３９ｂ，４０ｂを有する。
【００１２】
この遮光板（遮光手段）３８ｂ，４０ｂは図５（ａ）の如くそれぞれ環状体３８ａ，３９ａの中央に保持され、環状体３８ａ，４０ａと遮光板３８ｂ，４０ｂとの間にはそれぞれリング状透孔３８ｃ，４０ｃが形成されている。また、リングスリットとしての遮光板３９ｂは、図５（ｂ）の如く中央の遮光板部３８ｃと周縁の環状遮光板部３８ｄを有すると共に、遮光板部３８ｃ，３８ｄ間にリング状透孔（リング状スリット）３９ｅを有する。
【００１３】
この遮光体３８の遮光板３８ｂは角膜Ｅｃと共役であり、遮光体３９の遮光板３９ｂは瞳孔Ｅｐと共役であり、遮光体４０の遮光板４０ｂは水晶体ＥＬの後面Ｌｂと共役であり、黒点板３３は対物レンズ３６を反射面と考えたときに照明系内にできる虚像の位置と共役な位置に配置されている。これらは、それぞれ角膜表面、水晶体後面、対物レンズ表面の近傍に遮光領域を形成し、これらの各面からの有害反射光が撮影光学系２２に混入するのを防止する役割を果たす。
【００１４】
また、３つの帯状溝３７ａ，３７ｂ，３７ｃは断面形状が円弧状に形成されていると共に、環状体３８ａ，３９ａ，４０ａの周面の断面が円弧状に形成されていて、環状体３８ａ，３９ａ，４０ａの周面は帯状溝３７ａ，３７ｂ，３７ｃに回動可能に係合させられている。
【００１５】
また、遮光装置３９は、環状体３８ａ，３９ａ，４０ａの周面に一体に設けられ且つ筒状体１７を貫通する回動軸４１，４２，４３と、回動軸４１，４２，４３の先端部に固定されたピニオン４４，４５，４６を有する。このピニオン４４，４５，４６は、図６に示したパルスモータ等の駆動モータ（駆動手段）Ｍ１，Ｍ２，Ｍ３により回転駆動されるようになっている。
【００１６】
撮影光学系２２は、被検眼Ｅに臨む対物レンズ３６，孔空きミラー３５の開口３５ａ，開口絞り４７，合焦レンズ４８，結像レンズ４９，クイックリターンミラー５０等の光学部品とから大略構成されている。尚、開口絞り４７と合焦レンズ４８との間には、可視蛍光用のバリアフィルタＢ１と赤外蛍光用のバリアフィルタＢ２が挿脱可能に設けられている。また、ｆは撮影光学系２を介して被検眼Ｅの眼底Ｅｒと共役な位置に配設されるフィルムである。
【００１７】
眼底像観察用のファインダ光学系２３は、対物レンズ３６からクイックリターンミラー５０までの光学部品と、フィールドレンズ５１，反射鏡５２，接眼レンズ５３を有する。尚、結像レンズ４９とクイックリターンミラー５０との間から分岐する電子撮像光学系を設けることもできる。
【００１８】
＜制御回路＞
上述の可動アーム８の前端部内には可動アーム８の水平回動角を検出するポテンショメータ（水平回動角検出手段）５４が取り付けられ、スライド部材１１には眼底カメラ本体１２の上下動に伴う回動角を検出するためのセンサ（上下回動角検出手段）５５が設けられている。
【００１９】
このポテンショメータ５４及びセンサ５５からの出力は図７に示した演算制御回路５６に入力される。また、演算制御回路５６は、ポテンショメータ５４やセンサ５５からの出力に基づいて、上述の駆動モータＭ１，Ｍ２，Ｍ３を作動制御するようになっている。
【００２０】
[作用]
次に、この制御回路の機能及び眼底カメラの作用を説明する。
【００２１】
この様な構成において、ハロゲンランプ２５又はキセノンランプ２６を発光させると、眼底照明光が遮光体３８，３９，４０のリング状透孔３８ｃ，３９ｅ，４０ｃ及びリレーレンズ３０を通って反射ミラー３１で反射され、リレーレンズ３２、黒点板３３、リレーレンズ３４を介して孔空きミラー３５に導かれる。そして、眼底照明光はこの孔空きミラー３５により対物レンズ３６に向けて反射され、被検眼Ｅの角膜Ｅｃ、水晶体ＥＬを通過して眼底Ｅｒに導かれ、眼底Ｅｒを照明する。
【００２２】
この眼底Ｅｒによる反射光は、撮影光又は観察光として対物レンズ３６、孔空きミラー３５の孔部３５ａ、開口絞り４７、合焦レンズ４８及び結像レンズ４９を通ってクイックリターンミラー５０に導かれる。
【００２３】
クイックリターンミラー５０は眼底像観察の際には、撮影光学系２２の光路に挿入され、眼底照明光はクイックリターンミラー５０により反射されてフィールドレンズ５１に眼底像が一旦形成され、この眼底像を形成する光束は反射鏡５２を介して接眼レンズ５３に導かれ、術者はこの接眼レンズ５３を介して眼底像をする。眼底像撮影の際には、クイックリターンミラー５０は撮影光学系２２の光路から退避され、眼底像を形成する反射光がフィルムｆに導かれ、眼底像がフィルムｆに形成される。
【００２４】
ところで、撮影光学系２２の光軸Ｏが図１，図８の如く被検眼Ｅの光軸Ｅｏと一致している場合には、遮光体３８の遮光板３８ｂは角膜Ｅｃの厚さ方向中央と共役であり、遮光板３９ｂの遮光板部３９ｃは水晶体ＥＬの前面Ｌｆと共役であり、遮光板３９ｂの遮光板部３９ｄは虹彩Ｅｉの表面と共役であり、遮光板３９ｂのリング状透孔３９ｅは瞳孔Ｅｐと共役であり、遮光体４０の遮光板４０ｂは水晶体ＥＬの後面Ｌｂと共役であり、黒点板３３は対物レンズ３６の表面と共役である。
【００２５】
この状態では、図８の如く、遮光板３８ｂの像３８ｂ′は角膜Ｅｃに形成されて角膜Ｅｃに遮光領域を形成し、遮光板３９ｂの遮光板部３９ｃの像３９ｃ′は水晶体ＥＬの前面Ｌｆに形成されて前面Ｌｆの中央に遮光領域を形成し、遮光板３９ｂの遮光板部３９ｄの像３９ｄ′は虹彩Ｅｉの表面に形成されて遮光領域を形成し、遮光板４０ｂの像４０ｂ′は水晶体ＥＬの後面Ｌｂに形成されて後面Ｌｂの中央に遮光領域を形成して、各面からの有害反射光が撮影光学系２２に混入するのを防止する役割を果たす。尚、黒点板３３は、対物レンズ３６表面の近傍に遮光領域を形成して、表面からの有害反射光が撮影光学系２２に混入するのを防止する役割を果たす。
【００２６】
ところで、図６に示した眼底カメラ本体１２をガイドバー１０に沿って上方に円弧状に回動させることにより、鏡筒１２ａの光軸（撮影光学系２２の光軸）Ｏを破線で示した様に斜め下方に向けて、眼底Ｅｒの下方の部分を撮影する際に、遮光板３８ｂ，３９ｂ，４０ｂが図９の如く撮影光学系２２の光軸と垂直である場合には、遮光板部３９ｄの像３９ｄ′の上部が虹彩Ｅiの上部になく水晶体ＥＬ側に位置するため、照明光が虹彩Ｅiの上部Ａの部分で反射して撮影光学系２２に入射し有害光となる虞がある。
【００２７】
しかし、実際には、図６に示した眼底カメラ本体１２をガイドバー１０に沿って上方に円弧状に回動させることにより、鏡筒１２ａの光軸（撮影光学系２２の光軸）Ｏを破線で示した様に斜め下方に向けると、センサ５５からの検出信号（出力）が演算制御回路５６に入力される。そして、この演算制御回路５６は、センサ５５からの検出信号を受けて、眼底カメラ本体１２の回動角すなわち被検眼Ｅの光軸Ｅｏに対する角度を検出し、この検出した角度に基づいてパルスモータＭ１〜Ｍ３を作動制御する。この際、駆動モータＭ１〜Ｍ３の回転は、ピニオン４４，４５，４６を介して回動軸４１，４２，４３に伝達され、遮光体３８，３９，４０が例えば図３の如く回動させられて、遮光板３８ｂ，３９ｂ，４０ｂが光軸Oに対し傾斜調整させられる様になっている。
【００２８】
この様な演算制御回路５６による傾斜調整は、実際にはセンサ５５からの検出信号を基に、図１０に示した如く、遮光板３８ｂの像３８ｂ′が角膜Ｅｃに沿い、遮光板３９ｂの遮光板部３９ｃの像３９ｃ′が水晶体ＥＬの前面Ｌｆ中央に沿い、遮光板３９ｂの遮光板部３９ｄの像３９ｄ′が虹彩Ｅｉの表面に沿い、遮光板４０ｂの像４０ｂ′が水晶体ＥＬの後面Ｌｂに沿う様に行われる。これにより、角膜Ｅｃの表面、水晶体ＥＬの前面Ｌｆ中央及び後面Ｌｂ中央、虹彩Ｅi表面からの有害反射光が撮影光学系２２に入射するのが防止される。
【００２９】
尚、上述した実施例では、遮光板３８ｂ，３９ｂ、４０ｂの傾斜調整を上下にのみ行う様にした例を示したが、必ずしもこれに限定されるものではない。例えば、遮光装置２９の筒状体３７を図示しない筒体回転駆動手段で光軸Ｏ回りに回転駆動可能に設け、センサ５５からの検出信号及びポテンショメータ５４からの検出信号を基に、駆動モータＭ１〜Ｍ３及び筒体回転駆動手段を作動制御することにより、任意方向の傾斜角に対応して図９と同様な遮光板３８ｂ，３９ｂ、４０ｂの傾斜調整を行わせて、有害反射光が生ずるのを防止するようにしてもよい。
【００３０】
【発明の効果】
この発明は、以上説明したように、被検者眼の前眼部と共役な位置に遮光物が設けられた眼底カメラにおいて、前記遮光物は光軸に対して傾斜調整可能に設けられている構成としたので、眼底の周辺部を撮影する目的で光軸を被検眼の光軸に対して傾斜させた場合でも、撮影結果に有害な前眼部からの反射光を有効に除去することができる。
【図面の簡単な説明】
【図１】この発明に係る眼底カメラの光学系を示す説明図である。
【図２】図１に示した遮光装置の縦断面図である。
【図３】図２に示した遮光装置の遮光板の傾斜説明図である。
【図４】図２のＢ−Ｂ線に沿う断面図である。
【図５】（ａ），（ｂ）は図２〜図４の環状体の説明のための斜視図である。
【図６】図１〜図５の構成を備える眼底カメラの外観斜視図である。
【図７】図６の眼底カメラの制御回路図である。
【図８】図６の眼底カメラのによる有害光遮光の説明図である。
【図９】図６の眼底カメラのによる有害光遮光の説明図である。
【図１０】図６の眼底カメラのによる有害光遮光の説明図である。
【符号の説明】
３８ｂ，３９ｂ，４０ｂ・・・遮光板（遮光物）
Ｅ・・・被検眼（被検者眼）
Ｅｃ・・・角膜
Ｅｐ・・・瞳孔
ＥＬ・・・水晶体
Ｌｆ・・・前面
Ｌｂ・・・後面
Ｅi・・・虹彩
【図１】
0003753855.tif 000002
【図２】
0003753855.tif 000003
【図３】
0003753855.tif 000004
【図４】
0003753855.tif 000005
【図５】
0003753855.tif 000006
【図６】
0003753855.tif 000007
【図７】
0003753855.tif 000008
【図８】
0003753855.tif 000009
【図９】
0003753855.tif 000010
【図１０】
0003753855.tif 000011